(57)【要約】【課題】点灯及び点滅の繰り返しを短時間に行うことができ、少ない数のランプで必要な照度を得ることができ、集魚に適した白色光を得ることができ発光効率も高くなる集魚灯装置を提供する。【解決手段】発電機１１で発電した電力が、安定器本体側回路１２及び瞬時再点灯回路１３を介して、放電ランプ３０を構成する集魚灯１４を点灯する集魚灯装置において、放電ランプ３０は、細長い円筒状に形成された硬質ガラスからなるランプ本体３１の内部に、複数種の金属をキセノンガスとともに封入したロングアーク型の放電管で、ランプ本体３１の周囲には静電的なカップリングを構成するトリガワイヤ３５が長手方向に沿って設けられている。【選択図】      図１
2004229527.tif 000002
【特許請求の範囲】
【請求項１】
発電機で発電した電力が、安定器本体側回路及び瞬時再点灯回路を介して、放電ランプを構成する集魚灯を点灯する集魚灯装置において、
前記放電ランプは、細長い円筒状に形成された硬質ガラスからなるランプ本体の内部に、複数種の金属をキセノンガスとともに封入したロングアーク型の放電管で、前記ランプ本体の周囲には静電的なカップリングを構成するトリガワイヤが長手方向に沿って設けられていることを特徴とする集魚灯装置。
【請求項２】
前記ランプ本体は、外径が１２〜２０ｍｍ、発光長が２５０〜３５０ｍｍであることを特徴とする請求項１記載の集魚灯装置。
【発明の詳細な説明】
【０００１】
【発明の属する技術分野】
本発明は、さんま等の魚を捕獲するための漁船に使用される集魚灯装置に関するものである。
【０００２】
【従来の技術】
従来、さんま漁等においては、漁船の周囲から海上に向けて突出された複数本の棒状灯具に集魚灯を多数個取り付け、それらの集魚灯を点灯及び点滅を繰り返すことにより、網にさんまを集めて捕獲する方法が採用されている。このような集魚灯としては、例えば、５００〜７５０Ｗ（ワット）程度のフィラメントランプによる白熱電球、あるいはランプ内にフィラメント・ハロゲンランプを内蔵したものが一般的に使用されており、一隻の漁船に２０〜３０本程度の棒状灯具に、それぞれ２０個程度が取付けられている。なお、本出願人は、この種のランプを瞬時点灯させるための安定器に関する技術を開示している（例えば、特許文献１参照。）。
【０００３】
【特許文献１】
特開平９−３０６２２６号公報（第３ページ、図１）
【０００４】
【発明が解決しようとする課題】
しかしながら、従来の白熱電球やフィラメント・ハロゲンランプを使用した集魚灯では、寿命や照度の低下の点で問題があり、操業中に不点灯が発生したり、照度不足が生じるおそれがあり、また１つのランプ照度が小さいため棒状灯具に多数個を取付ける必要があり、そのため交換頻度が多くなるとともに、新しい予備の集魚灯を多数個備えておかなければならなかった。また、従来の多数個の集魚灯を点灯させるには、大容量の発電機を稼働させる必要があった。さらに、さんまの集魚には、昼間の太陽光に近い白色光であることが好ましいが、従来の白熱電球やフィラメント・ハロゲンランプは、やや黄色味の発光色であった。
【０００５】
これに対して、集魚灯としてメタルハライドランプ等の小型放電ランプを使用することが検討されているが、この種の小型放電ランプは、消灯後の再点灯に時間が掛かるとともに、点灯のために、例えば、２万ボルト程度の高パルス電圧を印加するため、ランプの口金やソケットにおいてショート（短絡）が生じやすくなる問題点があった。
【０００６】
本発明は上記事情に鑑みなされたもので、点灯及び点滅の繰り返しを短時間に行うことができ、少ない数のランプで必要な照度を得ることができ、集魚に適した白色光を得ることができ発光効率も高くなる集魚灯装置を提供することを目的とする。
【０００７】
【課題を解決するための手段】
上記目的を達成するために請求項１に記載の発明にあっては、発電機で発電した電力が、安定器本体側回路及び瞬時再点灯回路を介して、放電ランプを構成する集魚灯を点灯する集魚灯装置において、前記放電ランプは、細長い円筒状に形成された硬質ガラスからなるランプ本体の内部に、複数種の金属をキセノンガスとともに封入したロングアーク型の放電管で、前記ランプ本体の周囲には静電的なカップリングを構成するトリガワイヤが長手方向に沿って設けられていることを特徴とするものである。ロングアーク型の放電管でランプ本体の周囲に静電的なカップリングを構成するトリガワイヤを設けたことで、点灯及び点滅の繰り返しを短時間に行うことができ、少ない数のランプで必要な照度を得ることができ、複数種の金属をキセノンガスとともに封入することで集魚に適した白色光を得ることができ発光効率も高くなる。
【０００８】
請求項２に記載の発明にあっては、前記ランプ本体は、外径が１２〜２０ｍｍ、発光長が２５０〜３５０ｍｍであることで発光長を長くでき少ない数で必要な照度を得ることができる。
【０００９】
【発明の実施の形態】
以下、本発明を図示の一実施形態により具体的に説明する。図１及び図２は本発明実施形態の集魚灯装置を説明する図であり、図１は集魚灯装置の構成を説明する図、図２は放電ランプの斜視図である。
【００１０】
これらの図において、本実施形態の集魚灯装置１０は、発電機１１で発電した電力が安定器本体側回路１２と瞬時再点灯回路１３と介して集魚灯１４を構成する放電ランプ３０に供給されて点灯するように構成されている。なお、図１に示す回路は、１個の集魚灯１４を点灯する回路であり、集魚灯１４の数と同数の回路が発電機１１に並列に接続される。
【００１１】
安定器本体側回路１２は、発電機１１にブレーカ２１を介して接続され磁気飽和特性を改善するとともに、電流波形を正弦波に近づけるように改善したトランス２２と、このトランス２２の電源線に直列に接続されたコンデンサ２３及びこのコンデンサ２３に並列に接続された抵抗器２４とから進相型回路に構成されている。
【００１２】
瞬時再点灯回路１３は、タイマー回路２５と、リレー２６と、高圧パルス発生回路２７と、ランプ電圧検出回路２８と、高周波トランス２９等とから構成されている。タイマー回路２５は、トランス２２から電源電圧が印加されたとき、例えば、１０秒程度の一定時間スイッチがオンする回路であり、このスイッチがリレー２６の励磁コイルに接続されている。このタイマー回路２５の一定時間は、少なくとも集魚灯１４を点灯するために必要な時間である。高圧パルス発生回路２７は、リレー２６がオンして電源電圧が印加されたときに、高圧パルスを発生する回路であり、この高圧パルスは、電源線に接続された高周波トランス２９の入力側に印加されるよう接続されている。ランプ電圧検出回路２８は、リレー２６がオンして電源電圧が印加されたときに、集魚灯１４に印加される電圧を検出し、一定の点灯電圧を検出することでスイッチがオンする回路であり、このスイッチがリレー２６の励磁コイルに直列に接続されている。なお、この瞬時再点灯回路１３は、高圧パルスの減衰を避けるために、放電ランプ３０に近接した位置に接続される。
【００１３】
放電ランプ３０は、細長い円筒状に形成された硬質ガラスからなるランプ本体３１の両端部に、碍子３２，３２が取付けられ、内部にはアーク端子３４，３４が対向するよう配置され、これらアーク端子３４，３４に接続端子３３，３３が取付けられ、両碍子３２，３２間の全長（Ａ）が、例えば、３００〜４００ｍｍ、好ましくは３６０ｍｍ程度に形成されたものである。このランプ本体３１は、外径（Ｄ）が１２〜２０ｍｍ、好ましくは１５ｍｍ程度、内部のアーク端子３４，３４間の発光長（Ｂ）が２５０〜３５０ｍｍ、好ましくは３００ｍｍ程度に形成され、内部には昼間の太陽光に近い白色光を得るに適した複数種の金属がキセノンガスとともに封入されている。また、ランプ本体３１の長手方向に沿った外周部分には、一端部側が一方の碍子３２を通って接続端子３３に電気的に接続され、中間部分がランプ本体３１の長手方向に沿って他方の碍子３２側に向けて延出され、他端部側が碍子３２直前のランプ本体３１のくびれ部分に巻き付けられたトリガワイヤ３５が設けられている。このトリガワイヤ３５は、静電的なカップリングを構成することで点灯を容易にするための働きを有するものである。この放電ランプ３０の電気的特性としては、例えば、ランプ電圧が１２０〜２５０Ｖ程度、電流が１０Ａ前後で、ランプ出力が１〜３ＫＷ程度のものが好ましい。
【００１４】
上記構成の集魚灯装置１０では、放電ランプ３０を装着した集魚灯１４を漁船に設けられた棒状灯具等に多数個取付け、それぞれの集魚灯１４を瞬時再点灯回路１３の出力端子に接続する。点灯を開始するには、まず、発電機１１を始動してブレーカ２１を入れると、安定器本体側回路１２のトランス２２で変圧された電源電圧が瞬時再点灯回路１３に印加され、タイマー回路２５が作動してリレー２６がオンとなり、高圧パルス発生回路２７から発生した高圧パルスが高周波トランス２９を介して集魚灯１４に印加されて点灯が開始する。同時にリレー２６がオンすると、ランプ電圧検出回路２８が作動し、集魚灯１４に印加される電圧を検出し、点灯電圧を検出したときに、リレー２６をオフする。また、集魚灯１４が点灯しないときには、タイマー回路２５で設定された１０秒後にリレー２６がオフになり、高圧回路発生回路２７とランプ電圧検出回路２８の動作が停止する。もし、集魚灯１４に異常が発生し消灯したときには、リレー２６のオフ状態が維持される。安定器本体側回路１２は、進相回路を構成し、入力電圧波形及び入力電流波形の位相が一致し、始動時の入力電流が点灯中より少なくなるため、効率が良く発電機１１への対応が優れ、その容量も大きくする必要がなく、安定器短絡電流とランプ電流との差が少ないため集魚灯１４の寿命が長くなる。また、瞬時再点灯回路１３は、タイマー回路２５と、ランプ電圧検出回路２８との併用により、高圧パルス発生回路２７から集魚灯１４に印加する高圧パルスをオフしているため、集魚灯１４異常でもオフし、タイマー回路２５の故障で損傷することがない。
【００１５】
集魚灯１４は、細長い円筒状に形成され、発光長（Ｂ）が比較的長く形成されているため、従来のフィラメントランプやショートアーク型の小型放電ランプよりも発光部分が大きくなり多くなり、その分少ない数のランプで必要な照度を得ることができる。また、複数種の金属がキセノンガスとともに封入ていることで、集魚に適した太陽光に近い白色光を得ることができる。さらに、ランプ本体３１の長手方向に沿った外周部分には、静電的なカップリングを構成するトリガワイヤ３５が設けられているため、再点灯が容易になる。
【００１６】
なお、上記実施形態において、集魚灯１４を構成する放電ランプ３０の電気的特性や形状等に関しては任意にできるが、実施形態に説明した程度のものが好ましい結果を得られることが判明した。
【００１７】
【発明の効果】
以上説明したように本発明の集魚灯装置は、発電機で発電した電力が、安定器本体側回路及び瞬時再点灯回路を介して、放電ランプを構成する集魚灯を点灯する集魚灯装置において、放電ランプは、細長い円筒状に形成された硬質ガラスからなるランプ本体の内部に、複数種の金属をキセノンガスとともに封入したロングアーク型の放電管で、ランプ本体の周囲には静電的なカップリングを構成するトリガワイヤが長手方向に沿って設けられていることで、点灯及び点滅の繰り返しを短時間に行うことができ、少ない数のランプで必要な照度を得ることができ、集魚に適した白色光を得ることができ発光効率も高くなる。
【図面の簡単な説明】
【図１】本発明実施形態の集魚灯装置の構成を説明する図である。
【図２】本発明実施形態の放電ランプの斜視図である。
【符号の説明】
１０  集魚灯装置
１１  発電機
１２  安定器本体側回路
１３  瞬時再点灯回路
１４  集魚灯
２０  放電ランプ
２１  ブレーカ
２２  トランス
２３  コンデンサ
２４  抵抗器
２５  タイマー回路
２６  リレー
２７  高圧パルス発生回路
２８  ランプ電圧検出回路
２９  高周波トランス
３０  放電ランプ
３１  ランプ本体
３２  碍子
３３  アーク端子
３５  トリガワイヤ
【図１】
2004229527.tif 000003
【図２】
2004229527.tif 000004